【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
複数のノズルが設けられた記録ヘッドと、
複数の前記ノズルの吐出不良の有無を検出するノズルチェック処理を実行するノズルチェック実行部と、を備え、
前記ノズルチェック実行部は、
前記ノズルチェック処理の実行を開始した後、複数の前記ノズルについて、順次、吐出不良の有無を検出すると共に、前記ノズルチェック処理と並行して実行することができない所定の動作の実行が指示されたか否かを監視し、前記所定の動作の実行が指示された場合、前記ノズルチェック処理を中断して、前記所定の動作を実行した後、前記ノズルチェック処理を再開することを特徴とする記録装置。
【請求項２】
前記ノズルチェック処理の再開後は、前記ノズルチェック処理を中断した時点において吐出不良の有無の検出が行なわれていない前記ノズルについて、吐出不良の有無の検出を行なうことを特徴とする請求項１に記載の記録装置。
【請求項３】
前記所定の動作は、前記ノズルチェック実行部による吐出不良の有無の検出の精度に影響を与える動作であることを特徴とする請求項１または２に記載の記録装置。
【請求項４】
前記ノズルチェック実行部は、前記ノズルからインク滴を導電材に吐出し、前記導電材を流れる電流の状態を検出し、検出した電流の状態に基づいて、インクの吐出不良が発生しているか否かを検出するものであり、
前記検出の精度に影響を与える動作は、電流の状態の検出に悪影響を与えるノイズを生じさせる動作であることを特徴とする請求項３に記載の記録装置。
【請求項５】
前記記録ヘッドにより記録が行なわれる記録媒体を切断する切断部をさらに備え、
前記検出の精度に影響を与える動作は、前記切断部による前記記録媒体の切断に係る動作であることを特徴とする請求項３に記載の記録装置。
【請求項６】
前記切断部による前記記録媒体の切断の指示が入力可能な入力部をさらに備えることを特徴とする請求項５に記載の記録装置。
【請求項７】
開閉可能なカバーをさらに備え、
前記ノズルチェック実行部は、
前記ノズルチェック処理の実行中、前記カバーが開いている状態か否かを判別し、前記カバーが開状態と判別した場合は、前記カバーが閉状態と判別するまで前記ノズルチェック処理を停止することを特徴とする請求項１ないし６のいずれかに記載の記録装置。
【請求項８】
前記ノズルチェック実行部は、
前記ノズルチェック処理の実行を開始した後、所定の時間経過した後に、前記所定の動作の実行が指示された場合、前記ノズルチェック処理を中断することなく前記ノズルチェック処理を完了させた後、前記所定の動作を実行することを特徴とする請求項１ないし７のいずれかに記載の記録装置。
【請求項９】
複数のノズルが設けられた記録ヘッドを備える記録装置の制御方法であって、
複数の前記ノズルの吐出不良の有無を検出するノズルチェック処理の実行を開始した後、複数の前記ノズルについて、順次、吐出不良の有無を検出すると共に、前記ノズルチェック処理と並行して実行することができない所定の動作の実行が指示されたか否かを監視し、前記所定の動作の実行が指示された場合、前記ノズルチェック処理を中断して、前記所定の動作を実行した後、前記ノズルチェック処理を再開することを特徴とする記録装置の制御方法。
【請求項１０】
前記ノズルチェック処理の再開後、前記ノズルチェック処理を中断した時点において吐出不良の有無の検出が行なわれていない前記ノズルについて、吐出不良の有無の検出を行なうことを特徴とする請求項９に記載の記録装置の制御方法。
【請求項１１】
前記所定の動作は、前記ノズルチェック処理の吐出不良の有無の検出の精度に影響を与える動作であることを特徴とする請求項９または１０に記載の記録装置の制御方法。
【請求項１２】
前記ノズルチェック処理は、前記ノズルからインク滴を導電材に吐出し、前記導電材を流れる電流の状態を検出し、検出した電流の状態に基づいて、インクの吐出不良が発生しているか否かを検出するものであり、
前記検出の精度に影響を与える動作は、電流の状態の検出に悪影響を与えるノイズを生じさせる動作であることを特徴とする請求項１１に記載の記録装置の制御方法。
【請求項１３】
前記記録装置は、前記記録ヘッドにより記録が行なわれる記録媒体を切断する切断部を備え、
前記検出の精度に影響を与える動作は、前記切断部による前記記録媒体の切断に係る動作であることを特徴とする請求項１１に記載の記録装置の制御方法。
【請求項１４】
複数のノズルが設けられた記録ヘッドを備える記録装置の各部を制御する制御部により実行されるプログラムであって、
前記制御部を、
複数の前記ノズルの吐出不良の有無を検出するノズルチェック処理の実行を開始した後、複数の前記ノズルについて、順次、吐出不良の有無を検出すると共に、前記ノズルチェック処理と並行して実行することができない所定の動作の実行が指示されたか否かを監視し、前記所定の動作の実行が指示された場合、前記ノズルチェック処理を中断して、前記所定の動作を実行した後、前記ノズルチェック処理を再開するノズルチェック実行部として機能させることを特徴とするプログラム。
【手続補正２】
【補正対象書類名】明細書
【補正対象項目名】０００５
【補正方法】変更
【補正の内容】
【０００５】
上記目的を達成するために、本発明は、複数のノズルが設けられた記録ヘッドと、複数の前記ノズルの吐出不良の有無を検出するノズルチェック処理を実行するノズルチェック実行部と、を備え、前記ノズルチェック実行部は、前記ノズルチェック処理の実行を開始した後、複数の前記ノズルについて、順次、吐出不良の有無を検出すると共に、前記ノズルチェック処理と並行して実行することができない所定の動作の実行が指示されたか否かを監視し、前記所定の動作の実行が指示された場合、前記ノズルチェック処理を中断して、前記所定の動作を実行した後、前記ノズルチェック処理を再開することを特徴とする。
この構成によれば、ノズルチェック処理を行っている間に、当該処理と並行して実行することができない所定の動作の実行が指示された場合、ノズルチェック処理を中断し、当該所定の動作を実行した後、ノズルチェック処理を再開する構成であるため、所定の動作の実行の指示後、当該所定の動作が開始されるまでのタイムラグを短縮でき、当該タイムラグに起因したユーザーの不快感を低減可能である。また、上記構成によれば、当該所定の動作を実行した後、ノズルチェック処理を再開するため、ノズルチェック処理による吐出不良の有無の検出が偏って行われることがなく、検出の精度が低下しない。
【手続補正３】
【補正対象書類名】明細書
【補正対象項目名】０００８
【補正方法】変更
【補正の内容】
【０００８】
また、本発明は、前記ノズルチェック実行部は、前記ノズルからインク滴を導電材に吐出し、前記導電材を流れる電流の状態を検出し、検出した電流の状態に基づいて、インクの吐出不良が発生しているか否かを検出するものであり、前記検出の精度に影響を与える動作は、電流の状態の検出に悪影響を与えるノイズを生じさせる動作であることを特徴とする。
この構成によれば、ノズルチェック処理の態様に対応して、ノズルチェック処理を実行中に、吐出不良の有無の検出の精度に悪影響を与える動作が実行されることを防止した上で、ノズルチェック処理による吐出不良の有無の検出の精度を低下させることなく、所定の動作を指示後、所定の動作が開始されるまでのタイムラグに起因したユーザーの不快感を低減できる。
【手続補正４】
【補正対象書類名】明細書
【補正対象項目名】０００９
【補正方法】変更
【補正の内容】
【０００９】
また、本発明は、前記記録ヘッドにより記録が行なわれる記録媒体を切断する切断部をさらに備え、前記検出の精度に影響を与える動作は、前記切断部による前記記録媒体の切断に係る動作であることを特徴とする。
ここで、切断部による記録媒体の切断には、切断に係る機構の駆動に伴う物理的な振動や、所定のモーターを駆動するための駆動電流等に起因して、導電材を流れる電流の状態の検出に悪影響を与えるノイズが発生する可能性がある。これを踏まえ、上記構成によれば、ノズルチェック処理の態様に対応して、ノズルチェック処理を実行中に、吐出不良の有無の検出の精度に悪影響を与える動作が実行されることを防止した上で、ノズルチェック処理による吐出不良の有無の検出の精度を低下させることなく、所定の動作を指示後、所定の動作が開始されるまでのタイムラグに起因したユーザーの不快感を低減できる。
【手続補正５】
【補正対象書類名】明細書
【補正対象項目名】００１３
【補正方法】変更
【補正の内容】
【００１３】
また、上記目的を達成するために、本発明は、複数のノズルが設けられた記録ヘッドを備える記録装置の制御方法であって、複数の前記ノズルの吐出不良の有無を検出するノズルチェック処理の実行を開始した後、複数の前記ノズルについて、順次、吐出不良の有無を検出すると共に、前記ノズルチェック処理と並行して実行することができない所定の動作の実行が指示されたか否かを監視し、前記所定の動作の実行が指示された場合、前記ノズルチェック処理を中断して、前記所定の動作を実行した後、前記ノズルチェック処理を再開することを特徴とする。
この制御方法によれば、ノズルチェック処理を行っている間に、当該処理と並行して実行することができない所定の動作の実行が指示された場合、ノズルチェック処理を中断し、当該所定の動作を実行した後、ノズルチェック処理を再開する構成であるため、所定の動作の実行の指示後、当該所定の動作が開始されるまでのタイムラグを短縮でき、当該タイムラグに起因したユーザーの不快感を低減可能である。また、上記構成によれば、当該所定の動作を実行した後、ノズルチェック処理を再開するため、ノズルチェック処理による吐出不良の有無の検出が偏って行われることがなく、検出の精度が低下しない。
【手続補正６】
【補正対象書類名】明細書
【補正対象項目名】００１５
【補正方法】変更
【補正の内容】
【００１５】
また、上記目的を達成するために、本発明は、複数のノズルが設けられた記録ヘッドを備える記録装置の各部を制御する制御部により実行されるプログラムであって、前記制御部を、複数の前記ノズルの吐出不良の有無を検出するノズルチェック処理の実行を開始した後、複数の前記ノズルについて、順次、吐出不良の有無を検出すると共に、前記ノズルチェック処理と並行して実行することができない所定の動作の実行が指示されたか否かを監視し、前記所定の動作の実行が指示された場合、前記ノズルチェック処理を中断して、前記所定の動作を実行した後、前記ノズルチェック処理を再開するノズルチェック実行部として機能させることを特徴とする。
このプログラムを実行すれば、ノズルチェック処理を行っている間に、当該処理と並行して実行することができない所定の動作の実行が指示された場合、ノズルチェック処理を中断し、当該所定の動作を実行した後、ノズルチェック処理を再開する構成であるため、所定の動作の実行の指示後、当該所定の動作が開始されるまでのタイムラグを短縮でき、当該タイムラグに起因したユーザーの不快感を低減可能である。また、上記構成によれば、当該所定の動作を実行した後、ノズルチェック処理を再開するため、ノズルチェック処理による吐出不良の有無の検出が偏って行われることがなく、検出の精度が低下しない。